(57)【要約】  本発明は継ぎ手要素による２つの物体の間の継ぎ手に関する。各物体は、連続した穴と４つの内方突出舌部とを備えたパネルを有し、舌部は、互いに９０°で配置され、約２２．５°角度にわたって延びる。継ぎ手要素は、シャンクと、両側にあって、継ぎ手要素を一方又は他方の方向に穴に挿入することができる挿入停止部材と、シャンクの各端領域の各々にあって、ほぼ２５°の角度で広がり、ほぼ０°，（９０°−２２．５°），１８０°，（２７０°−２２．５°）に配置された、４つのロックカムと、回転停止部材とからなる。継ぎ手要素は、４つの等距離位置の１の望み通りに選択された方位で穴に挿入し、一方又は他方の方向に約２２．５°回転させることができる。ここで、回転ロック手段は、継ぎ手要素が軸方向変位だけでは穴から取り外すことはできないように、選択された角度位置を固定する。
2009509112.tif 000002
【特許請求の範囲】
【請求項１】
継ぎ手要素（３）による２つの物体（１，２）の間の継ぎ手であって、
前記各物体（１，２）は、
丸い主形状を有する連続した第１穴（５）と、４つの内方突出舌部（６）とを備えたパネル（４）を有し、前記舌部は各々少なくとも大体において半径方向に延びる２つの辺（２５，２６）を有し、前記舌部は角度的に等距離に配置され、各々ほぼ２２．５°の角度で広がり、
前記継ぎ手要素（３）は、
前記舌部（６）の端部（７）間から前記第１穴（５）に挿入することができ、軸（２９）を有するシャンク（８）と、
前記シャンク（８）の中央領域に存在し、前記シャンク（８）を１つの方位又は他の方位で望み通りに前記第１穴（５）に挿入することができる最大距離を規定する挿入停止部材（１９，２０）と、
前記シャンクの２つの端領域（１７，１８）の各々にあって、ほぼ２５°の角度で広がり、ほぼ０°，（９０°−２２．５°），１８０°，（２７０°−２２．５°）の相対角度位置に配置された、４つのロックカム（９，１０，１１，１２；１３，１４，１５，１６）と、
前記ロックカム（９−１６）に付加され、角度的に等距離に配置され、前記辺（２５，２６）と協働することができる４つの回転停止部材（２１，２２，２３，２４）とからなり、
これにより、４つの角度的に等距離の角度位置の１つに、選択された方位に、望み通りに、前記挿入停止部材（１９、２０）が前記パネル（４）に接触するまで、前記継ぎ手要素（３）を前記第１穴（５）に挿入することができ、またさらに、一又は他の方向にほぼ２２．５°、望み通りに、前記回転停止部材（２１−１４）が関連の辺（２５，２６）と接触するまで、前記継ぎ手要素（３）を関連物体（１，２）に対して回転させることができ、これにより、前記ロックカム（９−１２；１３−１６）がパネル（４）の背後に係合し、前記継ぎ手要素（３）がパネル（４）に対する軸変位に対してロックされ、
ここで、可能な角度位置すなわち（０°±２２，５°），（９０°±２２，５°），（１８０°±２２，５°）（２７０°±２２，５°）の各々で前記２つの物体（１，２）の各々に対して前記継ぎ手要素（３）を解放可能にロックするために、回転ロック手段（２７，２８）が存在する継ぎ手。
【請求項２】
前記回転ロック手段（２７，２８）は、前記継ぎ手と前記関係する物体（１，２）との間に所定の回転モーメントを作用させるだけで、ロック状態に係合及び解除することができる請求項１に記載の継ぎ手。
【請求項３】
前記回転ロック手段（２７，２８）は、各可能な角度位置に付加された凹部（２８）と該凹部（２８）に弾性的に係合する凸部（２７）との組合せからなる請求項２に記載の継ぎ手。
【請求項４】
円弧の主形状を有する弾性片（３０）をさらに有し、前記弾性片は−２２．５°，０°，＋２２．５°の相対角度位置にある３つの凹部（２８ａ，２８ｂ，２８ｃ）を有している請求項３に記載の継ぎ手。
【請求項５】
前記弾性片は２つの隣接する回転停止部材（２１−２４）により支持されている４つの片からなる請求項４に記載の継ぎ手。
【請求項６】
前記舌部（６）と同じ角度位置にあり、前記パネル（４）の一部を形成し、前記４つの弾性片（３０）の少なくとも１つと協働する４つの突出部（２７ａ，２７ｂ，２７ｃ，２７ｄ）を有し、該前記４つの弾性片は、ほぼ９０°の角度にわたって延び、継ぎ手要素（３）の一部を形成する請求項４又は５に記載の継ぎ手。
【請求項７】
前記各物体（１，２）及び/又は継ぎ手要素（３）はプラスチックからなる請求項１から６のいずれかに記載の継ぎ手。
【請求項８】
前記各物体（１，２）及び/又は継ぎ手要素（３）は射出成形により製造される請求項６記載の継ぎ手。
【請求項９】
前記継ぎ手（３）は、
（ａ）前記継ぎ手（３）の正面及び背面と同じ形状の開口を有する押し出しヘッドを使用して押し出し品を形成し、
（ｂ）前記押し出し品を所望の長さにし、
（ｃ）余剰部分を選択的に除去して継ぎ手要素（３）を得る
ことにより製造される請求項６に記載の継ぎ手。
【請求項１０】
前記軸部（８）は軸方向の非円形の連続した第２穴（３１）を有し、該第２孔に適切な工具を挿入し、この工具によりモーメントを作用させて、前記継ぎ手要素（３）を前記関係する物体（１，２）に対して回転させる請求項１から９のいずれかに記載の継ぎ手。
【請求項１１】
前記請求項１から１０のいずれかに記載の継ぎ手の要素として明らかに意図され設計された物体（１）において、前記物体（１）は少なくとも２つの連続した第１孔（５）を備えた少なくとも１つのパネル（４）からなり、前記物体（１）は少なくとも２つの継ぎ手要素（３）により少なくとも２つの他の類似の物体（２）に結合することができる物体。
【請求項１２】
パネルの面に沿って等しい中心間距離を有する多数の連続した第１穴（５）を備えた多数のパネル（４）からなり、１つのパネル（４）に１を超える第１穴（５）を備えた場合、これらの第１穴（５）は真っ直ぐな列で、適用できる限り相互に垂直な列に整列されている請求項１１に記載の物体。
【請求項１３】
例えば玩具又は教育目的用に意図されたモジュール構築システムにおいて、請求項１１又は１２に記載の多数の物体（１，２）と多数の継ぎ手要素（３）からなり、ユーザの望み通りに前記継ぎ手要素（３）により前記物体（１，２）を相互に結合し、前記多数の物体（１，２）と継ぎ手要素（３）を１つのユニットに組み立てることができるモジュール構築システム。
【請求項１４】
請求項１３に記載のモジュール構築システムを備えた包装。
【発明の詳細な説明】
【技術分野】
【０００１】
２つの物体の間の継ぎ手は、例えば玩具又は教育目的用の基部として役立つ多くの実例で知られている。長期間不使用になっているメカノ（meccano）システムを例に挙げることができるが、それは物体が１又は複数の連続した穴を備えた１又は複数のパネルを有している。このシステムを使用して２つの類似の物体をボルトナット接続により結合することができる。このようにして空間的構造を構築することができる。他の例は、ロゴ（Lego;登録商標）システムであり、これは主として幼児用に意図されている。
【発明の開示】
【発明が解決しようとする課題】
【０００２】
本発明の目的は、所定数の選択オプション内でユーザが所望する特定の方法で選択することができ、また継ぎ手が解放可能である、公知のシステムと共通する２つの物体の間の継ぎ手を提供することである。
【０００３】
本発明の目的は、作成できる構築構造を広範囲に変化させることができる特殊な選択オプションを提供するような継ぎ手を具現化することである。本発明によると、解放可能性は相互に結合された物体が容易に分離するようなものでなければならないわけではない。本発明によれば、ユーザは、特定のタイプの継ぎ手を結合し、又は継ぎ手を解放するのに、特殊な熟慮された行動をしなければならないことが想定される。
【０００４】
前記目的に対して、本発明は、
継ぎ手要素（３）による２つの物体（１，２）の間の継ぎ手であって、
前記各物体（１，２）は、
丸い主形状を有する連続した第１穴（５）と、４つの内方突出舌部（６）とを備えたパネル（４）を有し、前記舌部は各々少なくとも大体において半径方向に延びる２つの辺（２５，２６）を有し、前記舌部は角度的に等距離に配置され、各々ほぼ２２．５°の角度で広がり、
前記継ぎ手要素（３）は、
前記舌部（６）の端部（７）間から前記第１穴（５）に挿入することができ、軸（２９）を有するシャンク（８）と、
前記シャンク（８）の中央領域に存在し、前記シャンク（８）を１つの方位又は他の方位で望み通りに前記第１穴（５）に挿入することができる最大距離を規定する挿入停止部材（１９，２０）と、
前記シャンクの２つの端領域（１７，１８）の各々にあって、ほぼ２５°の角度で広がり、ほぼ０°，（９０°−２２．５°），１８０°，（２７０°−２２．５°）の相対角度位置に配置された、４つのロックカム（９，１０，１１，１２；１３，１４，１５，１６）と、
前記ロックカム（９−１６）に付加され、角度的に等距離に配置され、前記辺（２５，２６）と協働することができる４つの回転停止部材（２１，２２，２３，２４）とからなり、
これにより、４つの角度的に等距離の角度位置の１つに、選択された方位に、望み通りに、前記挿入停止部材（１９、２０）が前記パネル（４）に接触するまで、前記継ぎ手要素（３）を前記第１穴（５）に挿入することができ、またさらに、一又は他の方向にほぼ２２．５°、望み通りに、前記回転停止部材（２１−１４）が関連の辺（２５，２６）と接触するまで、前記継ぎ手要素（３）を関連物体（１，２）に対して回転させることができ、これにより、前記ロックカム（９−１２；１３−１６）がパネル（４）の背後に係合し、前記継ぎ手要素（３）がパネル（４）に対する軸変位に対してロックされ、
ここで、可能な角度位置すなわち（０°±２２，５°），（９０°±２２，５°），（１８０°±２２，５°）（２７０°±２２，５°）の各々で前記２つの物体（１，２）の各々に対して前記継ぎ手要素（３）を解放可能にロックするために、回転ロック手段（２７，２８）が存在する継ぎ手を提供している。
【０００５】
前述したように、熟慮された動作を実行することにより継ぎ手を実現し又は解放することが可能でなければならない。この点において、本発明による継ぎ手は、好ましくは、前記回転ロック手段は、前記継ぎ手と前記関係する物体との間に所定の回転モーメントを作用させるだけで、ロック状態に係合及び解除することができるという特別な特徴を有している。
【０００６】
具体的な実施形態では、継ぎ手は、前記回転ロック手段は、各可能な角度位置に付加された凹部と該凹部に弾性的に係合する凸部との組合せからなるという特別な特徴を有している。
【０００７】
実際的な実施形態は、円弧の主形状を有する弾性片をさらに有し、前記弾性片は−２２．５°，０°，＋２２．５°の相対角度位置にある３つの凹部を有している。
【０００８】
実際的な実施形態では、前記弾性片は２つの隣接する回転停止部材により支持されている４つの片からなる。
【０００９】
後者の２つの実施形態は、有利には、前記舌部と同じ角度位置にあり、前記パネルの一部を形成し、前記４つの弾性片の少なくとも１つと協働する４つの突出部を有し、該前記４つの弾性片は、ほぼ９０°の角度にわたって延び、継ぎ手要素の一部を形成する。
【００１０】
前述の角度は技術的に機能的な表示であるとみなされなければならないことに注意すべきである。
【００１１】
具体的な実施形態では、継ぎ手は、前記各物体及び/又は継ぎ手要素はプラスチックからなるという特別な特徴を有している。
【００１２】
この後者の実施形態は、有利には、前記各物体及び/又は継ぎ手要素は射出成形により製造されるように実施することができる。
【００１３】
継ぎ手要素は、背面と同じ、又は鏡対称の正面を有する。これは、継ぎ手の次のオプションを提供する。すなわち、前記継ぎ手は、
（ａ）前記継ぎ手の正面及び背面と同じ形状の開口を有する押し出しヘッドを使用して押し出し品を形成し、
（ｂ）前記押し出し品を所望の長さにし、
（ｃ）余剰部分を選択的に除去して継ぎ手要素を得る
ことにより製造される。
【００１４】
継ぎ手は、好ましくは、前記軸部は軸方向の非円形の連続した第２穴を有し、該第２孔に適切な工具を挿入し、この工具によりモーメントを作用させて、前記継ぎ手要素を前記関係する物体に対して回転させるという特別な特徴を有している。
【００１５】
本発明はさらに、前記継ぎ手の要素として明らかに意図され設計された物体において、前記物体は少なくとも２つの連続した第１孔を備えた少なくとも１つのパネルからなり、前記物体は少なくとも２つの継ぎ手要素により少なくとも２つの他の類似の物体に結合することができる物体に関する。
【００１６】
この物体は、パネルの面に沿って等しい中心間距離を有する多数の連続した第１穴を備えた多数のパネルからなり、１つのパネルに１を超える第１穴を備えた場合、これらの第１穴は真っ直ぐな列で、適用できる限り相互に垂直な列に整列されている。
【００１７】
本発明はさらに、例えば玩具又は教育目的用に意図されたモジュール構築システムにおいて、前記段落に記載された多数の物体と多数の継ぎ手要素からなり、ユーザの望み通りに前記継ぎ手要素により前記物体を相互に結合し、前記多数の物体と継ぎ手要素を１つのユニットに組み立てることができるモジュール構築システムに関する。
【００１８】
最後に、本発明は、前記モジュール構築システムを備えた包装に関する。
【００１９】
以下、本発明を添付図面を参照して説明する。
【発明を実施するための最良の形態】
【００２０】
図１から６は、本発明による継ぎ手の部品の基本要素を示す。図７は、本発明による完全な継ぎ手に基づいて、これらの基本要素をさらなる物体と組み合わせてユニットを形成することができる方法を示す。
【００２１】
図１−６は、継ぎ手要素による２つの物体の間の継ぎ手であって、
前記各物体は、
丸い主形状を有する連続した第１穴と、４つの内方突出舌部とを備えたパネルを有し、前記舌部は各々少なくとも大体において半径方向に延びる２つの辺を有し、前記舌部は角度的に等距離に配置され、各々ほぼ２２．５°の角度で広がり、
前記継ぎ手要素は、
前記舌部の端部間から前記第１穴に挿入することができ、軸を有するシャンクと、
前記シャンクの中央領域に存在し、前記シャンクを１つの方位又は他の方位で望み通りに前記第１穴に挿入することができる最大距離を規定する挿入停止部材と、
前記シャンクの２つの端領域の各々にあって、ほぼ２５°の角度で広がり、ほぼ０°，（９０°−２２．５°），１８０°，（２７０°−２２．５°）の相対角度位置に配置された、４つのロックカムと、
前記ロックカムに付加され、角度的に等距離に配置され、前記辺と協働することができる４つの回転停止部材とからなり、
これにより、４つの角度的に等距離の角度位置の１つに、選択された方位に、望み通りに、前記挿入停止部材が前記パネルに接触するまで、前記継ぎ手要素を前記第１穴に挿入することができ、またさらに、一又は他の方向にほぼ２２．５°、望み通りに、前記回転停止部材が関連の辺と接触するまで、前記継ぎ手要素を関連物体に対して回転させることができ、これにより、前記ロックカムがパネルの背後に係合し、前記継ぎ手要素がパネルに対する軸変位に対してロックされ、
ここで、可能な角度位置すなわち（０°±２２，５°），（９０°±２２，５°），（１８０°±２２，５°）（２７０°±２２，５°）の各々で前記２つの物体の各々に対して前記継ぎ手要素を解放可能にロックするために、回転ロック手段が存在する継ぎ手を示す。
【００２２】
図示された実施形態は、前記回転ロック手段は、前記継ぎ手と前記関係する物体１，２との間に所定の回転モーメントを作用させるだけで、ロック状態に係合及び解除することができるようになっている。
【００２３】
前記回転ロック手段は、各可能な角度位置に付加された凹部２８と該凹部２８に弾性的に係合する凸部２７との組合せからなる。
【００２４】
図示された実施形態では、この継ぎ手は、円弧の主形状を有する弾性片３０をさらに有し、前記弾性片は−２２．５°，０°，＋２２．５°の相対角度位置にある３つの凹部２８ａ，２８ｂ，２８ｃを有している。
【００２５】
前記継ぎ手は、実際には、２つの隣接する回転停止部材２１−２４により支持されている４つの片からなる。
【００２６】
前記継ぎ手はさらに、前記舌部６と同じ角度位置にあり、前記パネル４の一部を形成し、前記４つの弾性片３０の少なくとも１つと協働する４つの突出部２７ａ，２７ｂ，２７ｃ，２７ｄを有し、該前記４つの弾性片は、ほぼ９０°の角度にわたって延び、継ぎ手要素３の一部を形成する。
【００２７】
図示された全ての実施形態では、前記各物体１，２及び/又は継ぎ手要素３はプラスチックからなる。
【００２８】
特に射出整形が非常に適切な製造方法である。
【００２９】
図示された実施形態では、継ぎ手の正面と背面が同一であることは、特に図５Ａから明らかである。したがって、前記継ぎ手３は、
（ａ）前記継ぎ手３の正面及び背面と同じ形状の開口を有する押し出しヘッドを使用して押し出し品を形成し、
（ｂ）前記押し出し品を所望の長さにし、
（ｃ）余剰部分を選択的に除去して継ぎ手要素３を得る
ことにより製造される。
【００３０】
図からさらに明らかであるが、前記軸部８は軸方向の非円形の連続した第２穴３１を有し、該第２孔に適切な工具を挿入し、この工具によりモーメントを作用させて、前記継ぎ手要素３を前記関係する物体１，２に対して回転させる。このために、連続した第１穴３１は、角度的に等距離に配置され、穴３１の全長にわたって延びる４つの溝３２ａ，３２ｂ，３２ｃ，３２ｄを有する。例えばねじ回しを挿入して径方向に互いに対向する溝３２ａ，３２ｃと溝３２ｂ、３２ｄを協働させる。
【００３１】
本発明はさらに、図に記載の物体３のようなタイプの物体に関する。物体は例えば少なくとも２つの連続した穴を備えた１つのパネルからなることができる。所望の数の連続した穴をランダムに備えた２又は３のパネルを備えたコーナー要素とすることができる。また、６つの正方形パネルの各々に、１つの穴、又は調整することができる真っ直ぐな列の穴を有する立方体を利用することもできる。
【００３２】
全ての図に記載の物体１，２のようなブロック形状もオプションである。
【００３３】
２つの物体が結合される場合、これにより形成される穴の列は、他の物体の穴の中心間距離と同じ中心管距離を有する穴の列を有することを保証することが一般に実際的であある。
【００３４】
本発明による継ぎ手に基づくモジュール構成システムは図示されていない。このようなモジュール構成システムは、包装で供給することができ、図に一例として記載され説明されたタイプの多数の物体１，２からなり、加えてこれらの物体１，２を本発明により規定された方法で相互に結合し空間的構築構造を形成する多数の継ぎ手要素３からなる。
【００３５】
前述の構成の範囲内で、本発明による継ぎ手は非常に多くの異なる方法で実施することができることは明らかである。本質的なことは、継ぎ手要素３を第１物体１に挿入し、次にオプションとして継ぎ手要素を越えて反対側に配置された第２物体２と組み合わせ、その後で継ぎ手要素３と物体１，２の間の継ぎ手を一方又は他方の方向に回転させることである。実際には、継ぎ手要素３が手で容易にアクセス出来ない場合、継ぎ手要素３を両側に配置された２つの物体１，２に挿入されたとき、前述の非円形穴と、継ぎ手要素３の必要な回転を実行するためにねじ回しのような適切な工具とを使用することが実際的である。結合を解くのにも工具を使用することができる。
【図面の簡単な説明】
【００３６】
【図１】相互距離を引き離された物体と継ぎ手要素の斜視図を示す。
【図２】継ぎ手要素が物体に挿入された図１と対応する斜視図を示す。
【図３】継ぎ手要素が２２．５°回転されて物体に固定された図２と対応する斜視図を示す。
【図４Ａ】相互作用を明確にするために、同一スケールで図１の第１段階、図２の第２段階、図３の現実的第３段階及び図４の仮想的第３段階を示す。
【図４Ｂ】相互作用を明確にするために、同一スケールで図１の第１段階、図２の第２段階、図３の現実的第３段階及び図４の仮想的第３段階を示す。
【図４Ｃ】相互作用を明確にするために、同一スケールで図１の第１段階、図２の第２段階、図３の現実的第３段階及び図４の仮想的第３段階を示す。
【図４Ｄ】相互作用を明確にするために、同一スケールで図１の第１段階、図２の第２段階、図３の現実的第３段階及び図４の仮想的第３段階を示す。
【図５Ａ】図２による継ぎ手要素を備えた物体の平面図を示す。
【図５Ｂ】図５Ａによる継ぎ手要素を備えた物体の側面図を示す。
【図６Ａ】物体と逆方位に挿入された継ぎ手の図５Ａと対応する平面図を示す。
【図６Ｂ】図１の状態の物体と継ぎ手要素の側面図を示す。
【図７Ａ】０°，４５°，９０°，１３５°，１８０°，２２５°，２７０°及び３１５°の相対方位で２つの物体の間の継ぎ手を示す。
【図７Ｂ】０°，４５°，９０°，１３５°，１８０°，２２５°，２７０°及び３１５°の相対方位で２つの物体の間の継ぎ手を示す。
【図７Ｃ】０°，４５°，９０°，１３５°，１８０°，２２５°，２７０°及び３１５°の相対方位で２つの物体の間の継ぎ手を示す。
【図７Ｄ】０°，４５°，９０°，１３５°，１８０°，２２５°，２７０°及び３１５°の相対方位で２つの物体の間の継ぎ手を示す。
【図７Ｅ】０°，４５°，９０°，１３５°，１８０°，２２５°，２７０°及び３１５°の相対方位で２つの物体の間の継ぎ手を示す。
【図７Ｆ】０°，４５°，９０°，１３５°，１８０°，２２５°，２７０°及び３１５°の相対方位で２つの物体の間の継ぎ手を示す。
【図７Ｇ】０°，４５°，９０°，１３５°，１８０°，２２５°，２７０°及び３１５°の相対方位で２つの物体の間の継ぎ手を示す。
【図７Ｈ】０°，４５°，９０°，１３５°，１８０°，２２５°，２７０°及び３１５°の相対方位で２つの物体の間の継ぎ手を示す。
【符号の説明】
【００３７】
１  物体
２  物体
３  継ぎ手要素
４  パネル
５  第１穴
６  内方突出舌部
７  端部
８  シャンク
９，１０，１１，１２；１３，１４，１５，１６  ロックカム
１７，１８  端領域
１９，２０  挿入停止部材
２１，２２，２３，２４  回転停止部材
２５，２６  辺
２９  軸
【図１】
2009509112.tif 000003
【図２】
2009509112.tif 000004
【図３】
2009509112.tif 000005
【図４ａ】
2009509112.tif 000006
【図４ｂ】
2009509112.tif 000007
【図４ｃ】
2009509112.tif 000008
【図４ｄ】
2009509112.tif 000009
【図５Ａ】
2009509112.tif 000010
【図５Ｂ】
2009509112.tif 000011
【図６Ａ】
2009509112.tif 000012
【図６Ｂ】
2009509112.tif 000013
【図７Ａ】
2009509112.tif 000014
【図７Ｂ】
2009509112.tif 000015
【図７Ｃ】
2009509112.tif 000016
【図７Ｄ】
2009509112.tif 000017
【図７Ｅ】
2009509112.tif 000018
【図７Ｆ】
2009509112.tif 000019
【図７Ｇ】
2009509112.tif 000020
【図７Ｈ】
2009509112.tif 000021
【国際調査報告】
2009509112.tif 000022
2009509112.tif 000023